(57)【特許請求の範囲】
【請求項１】
遊技機枠にヒンジで取り付けられ、パチンコ店側でのキー操作により開閉可能な前部構成体と、
前部構成体の前面より前側に突出して前面と交差する方向の回転中心を中心とし前面に沿って左右方向に回転可能にかつ前後方向に移動可能に設けられた外側面に吸殻受部を有する灰皿本体と、
灰皿本体の後部に設けられた回転位置決め部と、
灰皿本体を回転中心に沿って前部構成体に対し後側に引き込む方向のばね力を灰皿本体に与えるばねと、
前部構成体に設けられて灰皿本体が前部構成体に対し後側に引き込まれたときに前記回転位置決め部と嵌め合わされる回転位置規制部と、
灰皿本体の前部構成体より後側に突出した部分に設けられた灰皿側姿勢切替規制部と、
前部構成体の後面に設けられ、灰皿側姿勢切替規制部との係合及び係合の解除が前部構成体の後側でパチンコ店側での人為操作により可能な躯体側姿勢切替規制部とを備え、
躯体側姿勢切替規制部は、灰皿側姿勢切替規制部と係合することで前部構成体に対する灰皿本体の前側への引き出しを規制し、灰皿側姿勢切替規制部との係合を解除することで前部構成体に対する灰皿本体の前側への引き出しを可能とし、
躯体側姿勢切替規制部と灰皿側姿勢切替規制部との係合が解除されている場合には、
人為操作により灰皿本体がばねのばね力に抗して前部構成体に対し前側に引き出されたまま回転されることによって、灰皿本体が吸殻受部の上側に向けられた使用可能な姿勢と当該吸殻受部の下側に向けられた使用不能な姿勢とに姿勢変更可能となり、
これらの使用可能な姿勢と使用不能な姿勢とにおいて上記人為操作による灰皿本体に対する前側への引き出しが解除されることによって、灰皿本体がばねのばね力で前部構成体に対し後側に引き込まれて、回転位置決め部と回転位置規制部とが互いに嵌め合わされると、灰皿本体が前部構成体に回転不能に支持されることを特徴とする遊技機の灰皿装置。
【請求項２】
灰皿本体が吸殻受部を構成する耐熱性合成樹脂により形成され、この灰皿本体の後部には回転中心を構成する潤滑性合成樹脂からなる灰皿軸体が結合されたことを特徴とする請求項１記載の遊技機の灰皿装置。
【請求項３】
灰皿本体の後部に回転中心を構成する灰皿軸体をねじで結合したことを特徴とする請求項２記載の遊技機の灰皿装置。
【請求項４】
ばねがコイルスプリングであって、このばねが前部構成体の後側に回転中心を構成する軸受体を取り囲む格好に配置され、灰皿本体の回転中心を構成する灰皿軸体が前部構成体の回転中心を構成する軸受体に前側から挿入され、軸受孔より径方向に大形なばね受体が軸受体から前部構成体の後側に突出した灰皿軸体に前部構成体の後側で固定されることで、ばねが前部構成体の後面とばね受体の前面とに接触したことを特徴とする請求項２記載の遊技機の灰皿装置。
【請求項５】
灰皿本体が前部構成体に対し前側に引き出された場合、灰皿本体の後端部が前部構成体の前面より前側に突出しないことを特徴とする請求項１記載の遊技機の灰皿装置。
【請求項６】
灰皿側姿勢切替規制部が灰皿本体の回転中心を中心とする環状溝であって、躯体側姿勢切替規制部が前部構成体に回転可能に取り付けられたストッパーであることを特徴とする請求項１記載の遊技機の灰皿装置。
【請求項７】
灰皿側姿勢切替規制部に対するストッパーの係合位置と解除位置とを定める位置決め部が前部構成体の後面に設けられ、ストッパーの係合位置と解除位置とでストッパーの弾性で位置決め部に嵌め込まれる位置規制部がストッパーに設けられたことを特徴とする請求項６記載の遊技機の灰皿装置。
【発明の詳細な説明】
【０００１】
【発明の属する技術分野】
本発明は、パチンコ機やスロットマシンなどの遊技機に用いられる灰皿装置に関する。
【０００２】
【従来の技術】
従来のパチンコ機の灰皿装置は、灰皿本体が遊技機枠の前面より前側に突出して前面と交差する方向の回転中心を中心とし前面に沿う方向に回転可能にかつ前後方向に移動可能に設けられていた（例えば、特許文献１参照）。
【０００３】
【特許文献１】
特開平１０−４３４００号公報（第３頁、段落番号００１４、図２）
【０００４】
【発明が解決しようとする課題】
しかしながら、前記従来例は、灰皿本体に設けられた吸殻受部が上側に向けられた使用可能位置と当該吸殻受部が下側に向けられた使用不能位置となるように、灰皿本体の姿勢を変更する場合、遊技者または作業者が、灰皿本体を遊技機枠の前面より後方に押し込み、灰皿本体と遊技機枠との係合を解除した後に、灰皿本体を遊技機枠の前面と沿う方向に回転する構造になっている。このため、遊技機枠の内部には、灰皿本体が後側に押し込まれた場合に、当該灰皿本体の後部と干渉しないで灰皿本体の後部を逃げるための空間を遊技機枠の内部に設定しておく必要がある。けれども、パチンコ機の場合、遊技機枠の灰皿本体と対応する内部には、球を遊技領域に向けて発射する発射機構や発射機構から打ち出された球を遊技領域に誘導する発射レールが設置される。このようなことから、発射機構や発射レールの設置に悪影響を与えることなく、上記空間を設定しなければならないので、にわかに採用しがたいという問題点があった。
【０００５】
そこで、本発明は、灰皿本体の姿勢変更に際し、灰皿本体が遊技機枠の前面より前側に引き出されることによって、遊技機枠の内部に灰皿本体の後部を逃げるための余分な空間を設置する必要の無い遊技機の灰皿装置を提供するものである。
【０００６】
【課題を解決するための手段】
本発明にあっては、遊技機枠にヒンジで取り付けられ、パチンコ店側でのキー操作により開閉可能な前部構成体と、前部構成体の前面より前側に突出して前面と交差する方向の回転中心を中心とし前面に沿って左右方向に回転可能にかつ前後方向に移動可能に設けられた外側面に吸殻受部を有する灰皿本体と、灰皿本体の後部に設けられた回転位置決め部と、灰皿本体を回転中心に沿って前部構成体に対し後側に引き込む方向のばね力を灰皿本体に与えるばねと、前部構成体に設けられて灰皿本体が前部構成体に対し後側に引き込まれたときに前記回転位置決め部と嵌め合わされる回転位置規制部と、灰皿本体の前部構成体より後側に突出した部分に設けられた灰皿側姿勢切替規制部と、前部構成体の後面に設けられ、灰皿側姿勢切替規制部との係合及び係合の解除が前部構成体の後側でパチンコ店側での人為操作により可能な躯体側姿勢切替規制部とを備え、躯体側姿勢切替規制部は、灰皿側姿勢切替規制部と係合することで前部構成体に対する灰皿本体の前側への引き出しを規制し、灰皿側姿勢切替規制部との係合を解除することで前部構成体に対する灰皿本体の前側への引き出しを可能とし、躯体側姿勢切替規制部と灰皿側姿勢切替規制部との係合が解除されている場合には、人為操作により灰皿本体がばねのばね力に抗して前部構成体に対し前側に引き出されたまま回転されることによって、灰皿本体が吸殻受部の上側に向けられた使用可能な姿勢と当該吸殻受部の下側に向けられた使用不能な姿勢とに姿勢変更可能となり、これらの使用可能な姿勢と使用不能な姿勢とにおいて上記人為操作による灰皿本体に対する前側への引き出しが解除されることによって、灰皿本体がばねのばね力で前部構成体に対し後側に引き込まれて、回転位置決め部と回転位置規制部とが互いに嵌め合わされると、灰皿本体が前部構成体に回転不能に支持されることを特徴とする。これによって、遊技者または作業者が前部構成体より前側に存在する灰皿本体を前側に引き出して左方向または右方向に回転すれば、灰皿本体の使用可能な姿勢と使用不能な姿勢とに姿勢を切り替えることができるので、灰皿本体の姿勢変更に対し、遊技機枠の内部に灰皿本体の後部を逃げるための余分な空間を設ける必要が無い。また、本発明にあっては、灰皿側姿勢切替規制部と躯体側姿勢切替規制部とが互いに係合することで前部構成体に対する灰皿本体の前側への引き出しを規制し、灰皿側姿勢切替規制部と躯体側姿勢切替規制部とが互いに解除することで前部構成体に対する灰皿本体の前側への引き出しを可能としているので、灰皿本体の使用可能と使用不能とを徹底することができる。
また、本発明にあっては、灰皿本体が吸殻受部を構成する耐熱性合成樹脂により形成され、この灰皿本体の後部には回転中心を構成する潤滑性合成樹脂からなる灰皿軸体が結合されれば、灰皿本体の吸殻に対する耐熱性と回転操作性との両立を適切に達成することができる。
また、本発明にあっては、灰皿本体の後部に回転中心を構成する灰皿軸体をねじで結合すれば、灰皿本体または灰皿軸体の少なくとも一方が損傷した場合に、それを容易に交換することができる。
また、本発明にあっては、ばねがコイルスプリングであって、このばねが前部構成体の後側に回転中心を構成する軸受体を取り囲む格好に配置され、灰皿本体の回転中心を構成する灰皿軸体が前部構成体の回転中心を構成する軸受体に前側から挿入され、軸受孔より径方向に大形なばね受体が軸受体から前部構成体の後側に突出した灰皿軸体に前部構成体の後側で固定されることで、ばねが前部構成体の後面とばね受体の前面とに接触すれば、灰皿本体の前部構成体からの抜け止め構造を容易に形成することができる。
また、本発明にあっては、灰皿本体が前部構成体に対し前側に引き出された場合、灰皿本体の後端部が前部構成体の前面より前側に突出しなければ、灰皿本体が前側に引き出されても、前部構成体の内部に灰皿本体の後端部が存在するので、灰皿装置の品質信頼性が向上する。
また、本発明にあっては、灰皿側姿勢切替規制部が灰皿本体の回転中心を中心とする環状溝であって、躯体側姿勢切替規制部が前部構成体に回転可能に取り付けられたストッパーであれば、灰皿本体の使用可能な姿勢と使用不能な姿勢との双方において、当該姿勢の切り替えを規制する構造を簡素にすることができる。
また、本発明にあっては、灰皿側姿勢切替規制部に対するストッパーの係合位置と解除位置とを定める位置決め部が前部構成体の後面に設けられ、ストッパーの係合位置と解除位置とでストッパーの弾性で位置決め部に嵌め込まれる位置規制部がストッパーに設けられれば、躯体側姿勢切替規制部と灰皿側姿勢切替規制部との係合および解除を適切に保持することができる。また、本発明にあっては、躯体側姿勢切替規制部と灰皿側姿勢切替規制部との係合および解除を、前部構成体の後側で人為操作可能にすれば、係合および解除に対する電力の必要としない簡素な構造とすることができる。
【０００７】
【発明の実施の形態】
図１−図７は一実施形態である。図１のａ図は、吸殻受部１１が上側に向けられた使用可能な灰皿装置を備えた遊技機としてのパチンコ機を示す。図１のｂ図は、吸殻受部１１が下側に向けられた使用不能な灰皿装置を備えた遊技機としてのパチンコ機を示す。図２は、灰皿装置の構成部品を分解して示す。図３は、灰皿装置の灰皿本体８の前側への引き出し可能な形態を水平方向に切断した断面を示す。図４は、灰皿装置の灰皿本体８の前側への引き出した形態を水平方向に切断した断面を示す。図５は、灰皿本体８の前側への引き出しを不能にする姿勢切替の規制を示す。図６は、躯体側姿勢切替規制部２２と灰皿側姿勢切替規制部２７との解除形態を示す。図７は、躯体側姿勢切替規制部２２と灰皿側姿勢切替規制部２７との係合形態を示す。
【０００８】
図１を参照し、遊技機の灰皿装置について説明する。図１のａ図に示すようにパチンコ機の遊技機枠１は、パチンコ店の島と呼ばれる遊技機設置設備に取り付けられる。遊技機枠１の遊技者と向き合う前側を構成する前部構成体２は、前面化粧体３と皿装置４とを備える。前面化粧体３および皿装置４は、左側のヒンジ５で、遊技機枠１に取り付けられる。前面化粧体３がヒンジ５を回転中心として前側に片開きされた状態において、図外の遊技盤が遊技機枠１の内部に形成された収納部に格納される。遊技盤が遊技機枠１の内部に格納された後、前面化粧体３が閉じられると、遊技盤の前面である意匠盤面が前面化粧体３の窓１２を閉鎖するガラスまたは合成樹脂からなる光透過性の有るパネル６で覆われる。パネル６と遊技盤の意匠盤面との間の空間は、図外のガイドレールで囲まれた内側の球の飛び交う遊技領域となる。
【０００９】
皿装置４は、ヒンジ５を回転中心として前面化粧体３と同方向に片開き可能になっている。皿装置４は、中央部より前側に突出する上方に開放された球受部７と、左部より前側に突出する灰皿本体８と、右部より前側に突出するハンドルグリップと呼ばれる発射操作機構９と、を備える。前面化粧体３や皿装置４が閉じられた場合、前面化粧体３および皿装置４は、遊技機枠１に設けられた図外のロック機構と個別に結合して開放不能となる。このように開放不能に閉じられた前面化粧体３や皿装置４を開く場合、店員のような作業者が、遊技機枠１の前側から遊技機枠１のキー挿入孔１０からキープレートを挿入し、前面化粧体３に対するロック機構を開放操作して前面化粧体３を開く。次に、前面化粧体３が開かれたことで、遊技機枠１の前側から操作可能となった皿装置４に対するロック機構を作業者が開放操作して皿装置４を開く。また、皿装置４および前面化粧体３が開放不能に閉じられ、球受部７に球が入れられ、遊技者が発射操作機構９を操作すると、皿装置４の裏側で遊技機枠１の内部に設置された図外の発射機構が、球受部７から供給された球を遊技領域に向けて発射する。この発射された球が、遊技領域に設けられた図外の入賞部品に入賞すると、遊技機枠１の裏側から球受部７に賞球としての球が、払い出される。
【００１０】
皿装置４および前面化粧体３が開放不能に閉じられた場合であっても、灰皿本体８は、人の手で前方に引き出されると、前部構成体２の前面と交差する前後方向の回転中心を中心とし前部構成体２の前面に沿う方向に回転可能となる。具体的には、図１のａ図に示すように、吸殻受部１１が上側に向けられた灰皿本体８の使用可能な姿勢において、遊技者または作業者が灰皿本体８を前側に引き出したまま右方向または左方向に半回転させる。このように灰皿本体８が半回転された場合、図１のｂ図に示すように、吸殻受部１１が下側に向けられた灰皿本体８の使用不能な姿勢となる。この使用不能な姿勢となったところで、遊技者または作業者が上記灰皿本体８に対する前側への引き出しを解除すると、灰皿本体８が図２に示すばねのばね力で後側に引き込まれて前部構成体２に接触して固定される。つまり、灰皿本体８が吸殻受部１１の上側に向けられた使用可能な姿勢から吸殻受部１１の下側に向けられた使用不能な姿勢に切り替えられる。
【００１１】
図１のｂ図に示すように、吸殻受部１１が下側に向けられた灰皿本体８の使用不能な姿勢において、遊技者または作業者が灰皿本体８を前側に引き出したまま右方向または左方向に半回転させる。このように灰皿本体８が半回転された場合、図１のａ図に示すように、吸殻受部１１が上側に向けられた灰皿本体８の使用可能な姿勢となる。この使用可能な姿勢となったところで、遊技者または作業者が上記灰皿本体８に対する前側への引き出しを解除すると、灰皿本体８が図２に示すばねのばね力で後側に引き込まれて前部構成体２に接触して固定される。つまり、灰皿本体８が吸殻受部１１の下側に向けられた使用不能な姿勢から吸殻受部１１の上側に向けられた使用可能な姿勢に切り替えられる。
【００１２】
図２を参照し、灰皿装置の構成部品について説明する。前部構成体２は、遊技機枠１に片開き可能に取り付けられる皿躯体１５と、皿躯体１５に取り付けられて前面の意匠を構成する皿前面体１６と、を備える。皿前面体１６には、球受部７と開口部１７とを備える。開口部１７は灰皿本体８の後端部を皿前面体１６の前側から挿入する孔である。皿躯体１５には、軸受体１８が開口部１７と同軸に設けられる。軸受体１８は、皿躯体１５に前後方向に貫通する軸受孔１９を形成するものであって、皿躯体１５の前面より前方および後面より後方に突出する筒形状になっている。皿躯体１５には、軸受体１８の周囲に少なくとも前方に開放された孔として形成された複数の回転位置規制部２１が設けられる。回転位置規制部２１は、軸受体１８の中心と直交する１つの直線と軸受体１８の中心を中心とする１つの円周との２つの交点に配置される。つまり、回転位置規制部２１は軸受体１８の中心を中心とする１つの円周を周方向に二等分する位置にそれぞれ設けられる。皿躯体１５の回転位置規制部２１の設けられる１つの円周上の前面は回転中心と直交する径方向に平坦面になっている。
【００１３】
軸受体１８の周囲において、皿躯体１５の裏面には躯体側姿勢切替規制部２２が回転可能に設けられる。躯体側姿勢切替規制部２２は、皿躯体１５の裏面より裏側に突出した支柱２３に、止ねじ２４で回転可能に取り付けられた、合成樹脂からなる弾性を有する帯板状のストッパーになっている。躯体側姿勢切替規制部２２の先端部には位置規制部２５が前側に突出する。支柱２３の周りにおいて、皿躯体１５の裏面には位置決め部２６が設けられる。位置決め部２６は、灰皿側姿勢切替規制部２７に対する躯体側姿勢切替規制部２２の係合位置と解除位置とを定める部分であって、躯体側姿勢切替規制部２２の係合位置において位置規制部２５が嵌め込まれる第１受入部２８と、躯体側姿勢切替規制部２２の解除位置において位置規制部２５が嵌め込まれる第２受入部２９と、を備える。
【００１４】
灰皿本体８は、メラミン樹脂のような耐熱性合成樹脂材で砲弾形の中心よりも上方の上部を除去した外側面に、吸殻受部１１を備える。吸殻受部１１は、灰皿本体８の外側面より内部に窪む上方に開放された形状である。吸殻受部１１の周りを囲む灰皿本体８の外側面には、灰皿本体８の前部位置に煙草受部３１を備える。煙草受部３１は、灰皿本体８の外側面より内部に窪む上方に開放された形状である。煙草受部３１の深さは、吸殻受部１１の深さよりも浅い。これによって、煙草受部３１に１つの煙草が嵌め込まれていない場合でも、吸殻受部１１に捨てられた吸殻が煙草受部３１から灰皿本体８の外側に落下することはない。
【００１５】
吸殻受部１１の反対側に位置する灰皿本体８の下半部には、灰皿本体８と異なる合成樹脂材からなるカバー３２が固定される。カバー３２が耐熱性を特に要求されないことから、灰皿本体８と異なる色艶のよい合成樹脂材からカバー３２が形成されることで、カバー３２の設けられた灰皿本体８の意匠的な効果を高めることができる。灰皿本体８の後端に位置する後面には、後面中心の強度を高めるためのリブ３３と、後面周囲に配置された複数の軸体取付部３４とが、設けられる。複数の軸体取付部３４は、灰皿本体８の中心と直交する１つの直線と灰皿本体８の中心を中心とする１つの円周との２つの交点に個別に配置される。つまり、軸体取付部３４は、灰皿本体８の中心を中心とする１つの円周を周方向に二等分する位置にそれぞれ設けられる。軸体取付部３４は、軸体取付部３４の後面より内部に窪む内部孔３５を備える。内部孔３５は、吸殻受部１１に貫通していない。
【００１６】
灰皿本体８の裏側に取り付けられる灰皿軸体３６は、潤滑性合成樹脂材で形成され、支持軸３７を灰皿軸体３６の後面中央に備える。支持軸３７は、灰皿軸体３６より裏側に突出し、前方に開放されかつ後方で閉鎖された筒形状である。支持軸３７の後壁の中央には、ばね受体取付孔３８が形成される。灰皿軸体３６の後面には、突起として形成された複数の回転位置決め部３９と、前後方向に貫通する複数のねじ挿入孔４１とが、設けられる。回転位置決め部３９は、支持軸３７の中心と直交する１つの直線と支持軸３７を中心とする１つの円周との２つの交点に個別に配置される。つまり、回転位置決め部３９は、支持軸３７の中心を中心とする１つの円周を周方向に二等分する位置にそれぞれ設けられる。
【００１７】
灰皿軸体３６の回転位置決め部３９に対する円周は、前部構成体２の回転位置規制部２１に対する円周と同一の直径である。複数のねじ挿入孔４１は、支持軸３７の中心と直交する１つの直線と支持軸３７を中心とする１つの円周との２つの交点に個別に配置される。つまり、ねじ挿入孔４１は、支持軸３７の中心を中心とする１つの円周を周方向に二等分する位置にそれぞれ設けられる。回転位置決め部３９に対する１つの直線とねじ挿入孔４１に対する１つの直線とは、支持軸３７を中心として互いに直交する。つまり、複数の回転位置決め部３９と複数のねじ挿入孔４１とは円周を周方向に四等分する位置に配置される。
【００１８】
灰皿本体８と灰皿軸体３６とが互いに前後方向で同軸に重ね合わされ、止ねじ４２がねじ挿入孔４１から軸体取付部３４の内部孔３５に締結されることで、灰皿本体８と灰皿軸体３６とが互いに結合される。支持軸３７の後部に設けられるばね受体４５は、軸受孔１９よりも径方向に大形な前面と、中心部に設けられた軸挿入孔４６と、周面に環状溝として形成された灰皿側姿勢切替規制部２７と、を備える。軸挿入孔４６は、少なくとも前面である前方に開放された形態である。灰皿側姿勢切替規制部２７は、軸挿入孔４６を取り囲むばね受体４５の外周面に、ばね受体４５の中心を中心とする真円形になっている。ばね受体４５の軸挿入孔４６周りの前面が軸受孔１９よりも径方向に大形であることは、軸受孔１９と支持軸３７との嵌め合いで形成される回転中心と直交する径方向に大形である。
【００１９】
灰皿装置の組立て方について説明する。灰皿本体８とカバー３２と灰皿軸体３６とが互いに結合された状態において、支持軸３７が前部構成体２の前方より開口部１７を経由して軸受孔１９に挿入され、回転位置決め部３９と回転位置規制部２１とが互いに嵌め合わされる。上記支持軸３７と軸受孔１９とが、互いに嵌め合わされることで、前部構成体２に対する灰皿本体８の前部構成体２の前面より前側に突出して前面と交差する方向の回転中心を形成する。これと並行し、前部構成体２の裏側における軸受体１８には、コイルスプリングのようなばね４７が、軸受体１８を非接触に取り囲むように装着される。その後、軸受孔１９より後方に突出した支持軸３７の後端部には、ばね受体４５の軸挿入孔４６が嵌め込まれる。そして、止ねじ４８が、ばね受体４５の後部より、ばね受体４５に形成された図３に示す貫通孔Ａを経由して、軸受体１８のばね受体取付孔３８に締結される。これによって、灰皿軸体３６とばね受体４５とが互いに結合される。
【００２０】
このようにばね受体４５が止ねじ４８で取り付けられた場合、図３に示すように、ばね４７の後端がばね受体４５の前面に接触し、ばね４７の先端が皿躯体１５の後面に接触し、ばね４７がばね力でばね受体４５を後方に付勢し、ばね４７が灰皿本体８を前部構成体２に対し裏側に引き込む方向のばね力を灰皿本体８に与える。これによって、ばね受体４５の回転中心と直交する径方向に平坦な前面と前部構成体２における軸受体１８の回転中心と直交する径方向に平坦な後面との間には、前部構成体２に対する灰皿本体８の前後方向への移動を可能にする隙間が形成される。この隙間の寸法Ｌ１は、回転位置決め部３９と回転位置規制部２１との嵌り合いの寸法Ｌ２より大きい（Ｌ１＞Ｌ２）。また、灰皿本体８の後端部が前部構成体２の皿前面体１６の前面より後側に挿入された寸法Ｌ３は、上記寸法Ｌ１より大きい（Ｌ３＞Ｌ１）。
【００２１】
図３では、灰皿本体８がばね４７のばね力で前部構成体２に対し後側に引き込まれ、灰皿本体８の回転位置決め部３９と前部構成体２の回転位置規制部２１とが互いに結合し、灰皿本体８が回転不能に前部構成体２に支持されている。この状態において、図４に示すように、作業者が前部構成体２の前面より前側に突出した灰皿本体８を前側に引き出すと、ばね受体４５が灰皿本体８と一緒に前側に移動してばね４７を圧縮しつつ前部構成体２の軸受体１８に突き当たる。これに伴い、上記寸法Ｌ１＞Ｌ２の関係から、回転位置決め部３９が回転位置規制部２１より前側に抜け出る。これによって、灰皿本体８は、軸受孔１９と支持軸３７との嵌め合いによる回転中心を中心として、前部構成体２の前面を形成する前面化粧体３の前面に沿う方向に回転可能となる。
【００２２】
このようなことから、作業者が、灰皿本体８を前側に引き出したまま左方向または右方向の何れか一方に回転操作すると、図１のａ図に示す吸殻受部１１が上側に向けられた灰皿本体８の使用可能な姿勢と、図１のｂ図に示す吸殻受部１１が下側に向けられた灰皿本体８の使用不能な姿勢とに切り替えることができる。また、上記寸法Ｌ３＞Ｌ１の関係から、灰皿本体８が前部構成体２に対し前側に引き出された場合、図４に示すように灰皿本体８の後端部が、前部構成体２の前面より前側に突出しない。よって、姿勢切り替えのために、灰皿本体８が前側に引き出されても、前部構成体２の開口部１７に灰皿本体８の後端部が存在するので、灰皿装置の品質信頼性が向上する。
【００２３】
この実施形態によれば、２つの回転位置規制部２１と２つの回転位置決め部３９とが、軸受孔１９と支持軸３７との嵌め合いによる回転中心を中心とした１つの円周の二等分位置に設けられたので、灰皿本体８が使用可能な姿勢と使用不能な姿勢とに切り替えられる場合、作業者が灰皿本体８を前側に引き出し、左方向または右方向の何れか一方に回転操作し、回転位置決め部３９が回転位置規制部２１と嵌まり合うことのできない位置になったならば、作業者が灰皿本体８から前側への引き出し力を解除しても、回転位置決め部３９が回転位置規制部２１周りの皿躯体１５の前面に突き当たる。このように回転位置決め部３９が皿躯体１５の前面に突き当てられたまま、作業者が灰皿本体８を上記何れか一方の方向に半回転すれば、回転位置決め部３９が回転位置規制部２１と出会うのに伴い、ばね４７のばね力により、回転位置決め部３９が回転位置規制部２１に引き込まれるように嵌まり込む。この嵌まり込みによって、灰皿本体８は、吸殻受部１１が上側に向いた使用可能な姿勢から吸殻受部１１が下側に向いた使用不能な姿勢に切り替えられるか、または、吸殻受部１１が下側に向いた使用不能な姿勢から吸殻受部１１が上側に向いた使用可能な姿勢に切り替えられる。
【００２４】
この実施形態によれば、耐熱性合成樹脂で形成された灰皿本体８と潤滑性合成樹脂で形成された灰皿軸体３６とが結合されたので、吸殻受部１１の耐熱性と支持軸３７の回転操作性との両立を適切に発揮することができる。灰皿本体８の後部に灰皿軸体３６を止ねじ４２で結合したので、灰皿本体８または灰皿軸体３６の少なくとも一方が損傷した場合に、それを容易に交換することができる。灰皿本体８と組み合わされた灰皿軸体３６が前部構成体２の前側から開口部１７を経由して軸受孔１９に挿入され、この軸受孔１９より後側（裏側）に突出した灰皿軸体３６に、前部構成体２の裏側から軸受孔１９よりも径方向に大形なばね受体４５を止ねじ４８で結合したので、灰皿本体８の前部構成体２からの抜け止め構造が容易に形成できる。コイルスプリングにより形成されたばね４７が、軸受体１８を非接触に取り囲む格好で、前部構成体２の裏面と軸受孔１９よりも径方向に大形なばね受体４５の前面とに接触したので、灰皿本体８を前部構成体２に対し後側に引き込むばね力を与えるばね４７がコンパクトに装着される。灰皿本体８と灰皿軸体３６とを止ねじ４２で結合したので、灰皿本体８を前側に引き出しても、灰皿軸体３６が灰皿本体８から脱落するような不都合は解消できる。
【００２５】
図５−図７を参照し、灰皿本体８の使用可能な姿勢と使用不能な姿勢との姿勢切り替えを規制することについて説明する。前記のように灰皿本体８が前側に引き出されて使用可能な姿勢と使用不能な姿勢とに切り替えられる場合、図６に示すように前部構成体２の後側に設けられた躯体側姿勢切替規制部２２が灰皿本体８に結合された灰皿側姿勢切替規制部２７から解除されている。このように灰皿側姿勢切替規制部２７から解除されている躯体側姿勢切替規制部２２を作業者が操作する。
【００２６】
これによって、図７に示すように、躯体側姿勢切替規制部２２が止ねじ２４により形成された回転中心を中心としてばね受体４５の方向に移動するのに伴い、躯体側姿勢切替規制部２２の弾性変形で位置規制部２５が第２受入部２９から抜け出て第１受入部２８に嵌め込まれ、これと並行し、躯体側姿勢切替規制部２２が環状溝として形成された灰皿側姿勢切替規制部２７に係合する。この躯体側姿勢切替規制部２２と灰皿側姿勢切替規制部２７とが互いに係合した場合、図５に示す形態となる。
【００２７】
つまり、図５において、例えば、灰皿本体８が吸殻受部１１を下側に向けた使用不能な姿勢になっている場合において、遊技者が灰皿本体８を使用しようとして、灰皿本体８を前側に引き出すように操作したとしても、躯体側姿勢切替規制部２２が灰皿側姿勢切替規制部２７に係合しているので、灰皿本体８は前側に引き出されない。よって、店営業の観点から、パチンコ店が灰皿本体８を使用不能な姿勢に設定した場合、灰皿本体８の不使用を徹底することができる。逆に、パチンコ店が灰皿本体８を使用可能な姿勢に設定した場合、灰皿本体８の使用を徹底することができる。
【００２８】
しかも、躯体側姿勢切替規制部２２と灰皿側姿勢切替規制部２７との係合および解除は、前部構成体２の後側で人為操作可能になっているので、係合および解除に対する電力の必要としない簡素な構造となる。この係合および解除の操作が前部構成体２の裏側で行われる構造であるので、図１に示す遊技機枠１に対し前部構成体２が開放されない限り、当該係合および解除の操作は実行することができない。よって、灰皿本体８の姿勢切り替えは、遊技者が行うことはできず、パチンコ店側での専用行為となる。
【００２９】
灰皿側姿勢切替規制部２７が環状溝により形成され、躯体側姿勢切替規制部２２が前部構成体２に回転可能に取り付けられたストッパーにより形成されたので、灰皿本体８の使用可能な姿勢と使用不能な姿勢との双方において、当該姿勢の切り替えを規制する構造が簡素となる。灰皿側姿勢切替規制部２７に対するストッパーにより形成された躯体側姿勢切替規制部２２の係合位置と解除位置とを定める位置決め部２６が、ストッパーの係合位置と解除位置とでストッパーの位置規制部２５を嵌め込む第１受入部２８と第２受入部２９とを備えているので、躯体側姿勢切替規制部２２と灰皿側姿勢切替規制部２７との係合および解除を適切に保持することができる。止ねじ４８を除去し、軸挿入孔４６に形成した雌ねじと支持軸３７に形成した雄ねじとのねじ嵌合で、ばね受体４５と灰皿軸体３６とを結合してもよい。止ねじ２４に替えて躯体側姿勢切替規制部２２を支柱２３の後端に突出した軸に回転可能に装着し、躯体側姿勢切替規制部２２より後側に突出した軸に止輪を装着してもよい。
【図面の簡単な説明】
【図１】  一実施形態のパチンコ機の外観を示し、ａ図は灰皿本体の使用可能な姿勢を示す斜視図、ｂ図は灰皿本体の使用不能な姿勢を示す斜視図。
【図２】  同実施形態の灰皿装置を示す分解斜視図。
【図３】  同実施形態の灰皿装置の引き出し可能な形態を示す断面図。
【図４】  同実施形態の灰皿装置の引き出した形態を示す断面図。
【図５】  同実施形態の灰皿装置の引き出し不能な形態を示す断面図。
【図６】  同実施形態の躯体側姿勢切替規制部と灰皿側姿勢切替規制部との解除形態を示す背面図。
【図７】  同実施形態の躯体側姿勢切替規制部と灰皿側姿勢切替規制部との係合形態を示す背面図。
【符号の説明】
１    遊技機枠
２    前部構成体
８    灰皿本体
１１  吸殻受部
１８  軸受体
１９  軸受孔
２１  回転位置規制部
２２  躯体側姿勢切替規制部（ストッパー）
２５  位置規制部
２６  位置決め部
２７  灰皿側姿勢切替規制部（環状溝）
３６  灰皿軸体
３９  回転位置決め部
４５  ばね受体
４７  ばね（コイルスプリング）
４８  止ねじ（ねじ）
【図１】
0004606708.tif 000002
【図２】
0004606708.tif 000003
【図３】
0004606708.tif 000004
【図４】
0004606708.tif 000005
【図５】
0004606708.tif 000006
【図６】
0004606708.tif 000007
【図７】
0004606708.tif 000008